(57)【要約】【課題】乗客コンベアの欄干照明を蛍光灯ランプからＬＥＤランプに取り替える際の既設機材の取り外しと更新作業の低減または不要を図ること。【解決手段】蛍光灯ランプからＬＥＤランプ１２による欄干照明に取り替える乗客コンベアの欄干照明器具であって、透明欄干パネル２の取り付けられたフレーム６には、蛍光灯ランプソケットと蛍光灯ランプホルダーと蛍光灯ランプと蛍光灯ランプカバー１１とが既に設置されており、ＬＥＤランプ１２への取り替えに際して、蛍光灯ランプカバー１１の内部にＬＥＤランプ１２を支持する支持部１４を少なくとも２つ設け、支持部にはＬＥＤランプの載置用凹部１５を設け、ＬＥＤランプ１２を載置した蛍光灯ランプカバー１１が、蛍光灯ランプソケット及び蛍光灯ランプホルダー及び蛍光灯ランプの取り外されたフレーム６に対して取り付けられることで、ＬＥＤランプ１２に取り替えること。【選択図】図６
2015059024.tif 000002
【特許請求の範囲】
【請求項１】
蛍光灯ランプによる乗客コンベアの欄干照明をＬＥＤランプによる欄干照明に取り替える乗客コンベアの欄干照明器具であって、
透明欄干パネルの取り付けられたフレームには、前記ＬＥＤランプへの取り替え以前に、蛍光灯ランプソケットと、蛍光灯ランプホルダーと、蛍光灯ランプと、これらの構成要素を覆う蛍光灯ランプカバーと、が既に設置されており、
前記蛍光灯ランプから前記ＬＥＤランプへの取り替えに際して、前記蛍光灯ランプカバーの内部に前記ＬＥＤランプを支持する支持部を少なくとも２つ設け、前記支持部には前記ＬＥＤランプを載置する凹部を設け、
前記支持部の凹部によって前記ＬＥＤランプを載置した前記蛍光灯ランプカバーが、蛍光灯ランプソケット及び蛍光灯ランプホルダー及び蛍光灯ランプの取り外されたフレームに対して取り付けられることで、前記ＬＥＤランプに取り替える
ことを特徴とする乗客コンベアの欄干照明器具。
【請求項２】
蛍光灯ランプによる乗客コンベアの欄干照明をＬＥＤランプによる欄干照明に取り替える乗客コンベアの欄干照明器具であって、
透明欄干パネルの取り付けられたフレームには、前記ＬＥＤランプへの取り替え以前に、蛍光灯ランプソケットと、蛍光灯ランプホルダーと、蛍光灯ランプと、これらの構成要素を覆う蛍光灯ランプカバーと、が既に設置されており、
前記蛍光灯ランプから前記ＬＥＤランプへの取り替えに際して、前記蛍光灯ランプカバーの内部に前記ＬＥＤランプを支持する支持部を少なくとも２つ設け、
前記ＬＥＤランプを両端側で支持する２つの支持部の間の支持部間隔と前記ＬＥＤランプの長さが前記蛍光灯ランプの長さよりも短くされ、さらに、前記ＬＥＤランプの直径寸法が前記蛍光灯ランプの直径寸法以下とされ、
前記ＬＥＤランプを支持する前記支持部を有する前記蛍光灯ランプカバーが、前記蛍光灯ランプソケット及び前記蛍光灯ランプホルダーを前記フレームから取り外すこと無く、前記フレームに対して取り付けられることで、前記ＬＥＤランプに取り替える
ことを特徴とする乗客コンベアの欄干照明器具。
【請求項３】
請求項１または２において、
前記取り替えられたＬＥＤランプは、隣り合うＬＥＤランプ同士のリード線を結ぶ配線と、２つ以上連結されたＬＥＤランプ群の両端側のＬＥＤランプのリード線を外部電源と接続する結線と、によって前記ＬＥＤランプの取り替えを完了する
ことを特徴とする乗客コンベアの欄干照明器具。
【発明の詳細な説明】
【技術分野】
【０００１】
本発明は、既設の蛍光灯ランプを有する乗客コンベアの欄干照明器具において、ＬＥＤランプに更新するために好適な乗客コンベアの欄干照明器具に関する。
【背景技術】
【０００２】
乗客コンベアの欄干照明器具を蛍光灯ランプに代えてＬＥＤランプを採用し、ＬＥＤランプ用に改造する場合、構造及び構成上の相違から透明欄干パネルの上端外側に配置されたフレーム内から、既設の蛍光灯ランプソケットと蛍光灯ランプホルダーと蛍光灯ランプと蛍光灯ランプカバー１１とを現地にて取り外し、新たにＬＥＤランプ用に設計されたＬＥＤランプホルダーとＬＥＤランプとを現地にて位置を調整しながら適宜の間隔でフレーム内に複数個取付け、外側を当初使用されていた蛍光灯ランプカバーで覆う改造構造が、従来から良く知られている。
【０００３】
ここで、上述の改造構造においては、透明欄干パネルに沿って多数のＬＥＤランプ（蛍光灯ランプも同様）が配置され、隣接するＬＥＤランプ同士はＬＥＤランプのコネクタから出ているリード線同士を結び合わせ、さらに、多数連結したＬＥＤランプの両端側ではコネクタからのリード線を外部電源に結線して電気系統を完成させている。
【０００４】
また、ＬＥＤを光源とする欄干照明機器を取り付ける従来技術として、例えば特許文献１によれば、４個のＬＥＤ光源を一単位としたＬＥＤ装置本体を、高さ位置を調整しながら所定の位置へ複数個取付け、その外側を透明カバーで覆う構造が提案されている。
【先行技術文献】
【特許文献】
【０００５】
【特許文献１】特許第５０１２１３７号公報
【発明の概要】
【発明が解決しようとする課題】
【０００６】
近年、蛍光灯ランプを備えた乗客コンベアにおいて、省エネ環境志向の高まりによって蛍光灯ランプからＬＥＤランプへのリニューアル要望が増加傾向にある。店舗や交通機関などでは、改造期間中いかに乗客コンベアを稼動停止させないかが重要なポイントであり、さらに、誰でも簡単で素早く交換できるＬＥＤランプの改造構造が強く望まれている。
【０００７】
しかし、既に据え付けられた乗客コンベアの中には、透明欄干パネルと建屋壁の狭い場所に蛍光灯ランプが配置されているケースが多々あり、その狭い限られた作業スペース内で既設の蛍光灯ソケットと蛍光灯ランプホルダーと蛍光灯ランプと蛍光灯ランプカバーとを現地にて取り外し、新たなＬＥＤランプホルダーとＬＥＤランプ（ＬＥＤランプソケットは上述のごとくリード線結線で済ませることができるので必ずしも必須要素ではない）を位置調整しながら、踏み段の移動方向に沿って適宜の間隔でフレーム内に複数個取付け、外側を蛍光灯ランプカバーで覆う作業を行なわなければならず、熟練した専門の作業者であっても非常に面倒で手間を要する課題を抱えていた。
【０００８】
また、透明欄干パネル越しに体半分を外側に乗り出し、首を下側から上方向に傾けて覗き込まないと取付け先が見えない作業状況も発生し、作業姿勢の観点からも苦しく長時間作業が継続できないという課題も抱えていた。
【０００９】
上記の特許文献１を含めた従来技術においては、ＬＥＤランプ部品の取付け位置の調整等を現地作業で実施するため、例えば店舗の閉店中や鉄道設備の終電から始発までの限られた時間に施工を完了するためには、熟練した専門の作業者が必要となり、誰でも簡単にＬＥＤランプ部品を取り付けできるとは云えないという事情があった。さらに、上記の特許文献１に示されたＬＥＤ取付板ユニットを位置調整しながら取付けを行なう際に、ＬＥＤランプホルダーやＬＥＤ部品を落下させて乗客コンベアの下側を通行する人に危害を与える危険性も潜んでいた。
【課題を解決するための手段】
【００１０】
前記課題を解決するために、本発明は主として次のような構成を採用する。  
蛍光灯ランプによる乗客コンベアの欄干照明をＬＥＤランプによる欄干照明に取り替える乗客コンベアの欄干照明器具であって、透明欄干パネルの取り付けられたフレームには、前記ＬＥＤランプへの取り替え以前に、蛍光灯ランプソケットと、蛍光灯ランプホルダーと、蛍光灯ランプと、これらの構成要素を覆う蛍光灯ランプカバーと、が既に設置されており、前記蛍光灯ランプから前記ＬＥＤランプへの取り替えに際して、前記蛍光灯ランプカバーの内部に前記ＬＥＤランプを支持する支持部を少なくとも２つ設け、前記支持部には前記ＬＥＤランプを載置する凹部を設け、前記支持部の凹部によって前記ＬＥＤランプを載置した前記蛍光灯ランプカバーが、蛍光灯ランプソケット及び蛍光灯ランプホルダー及び蛍光灯ランプの取り外されたフレームに対して取り付けられることで、前記ＬＥＤランプに取り替える構成とする。
【発明の効果】
【００１１】
本発明によれば、蛍光灯ランプを備えた乗客コンベアのＬＥＤランプへのリニューアル作業を容易かつ短時間で済ませることができる。また、乗客コンベア以外の他の広い場所で既設の蛍光灯カバーにＬＥＤランプを外段取りで設置することが可能となる。
【図面の簡単な説明】
【００１２】
【図１】欄干照明器具を有する既設の乗客コンベアの全体構造を示す斜視図である。
【図２】図１に示すａ−ａ線の断面を示す図であり、既設の蛍光灯ランプを有する欄干照明器具を示す横断面図である。
【図３】図２に示すｂ−ｂ線の断面を示す図であり、既設の蛍光灯ランプを有する欄干照明器具を示す縦断面図である。
【図４】蛍光灯ランプに代えてＬＥＤランプを取り替えるための従来のＬＥＤランプ改造構造を示す横断面図である。
【図５】図４に示すｃ−ｃ線の断面を示す図であり、蛍光灯ランプに代えてＬＥＤランプを取り替えるための従来のＬＥＤランプ改造構造を示す縦断面図である。
【図６】本発明の実施形態に関するＬＥＤランプを有する欄干照明器具を示す横断面図である。
【図７】図６に示すｄ−ｄ線の断面を示す図であり、本発明の実施形態に関するＬＥＤランプを有する欄干照明器具を示す縦断面図である。
【図８】本発明の実施形態に関するＬＥＤランプを有する欄干照明器具の他の構成例のを示す縦断面図であり、図６に示すｄ−ｄ線の断面を示す図である。
【発明を実施するための形態】
【００１３】
本発明の実施形態に係る乗客コンベアの欄干照明器具について、図１〜図８を参照しながら以下説明する。本実施形態に係る乗客コンベアの欄干照明器具は、概略的に云えば、蛍光灯ランプをＬＥＤランプに更新するための欄干照明器具の改良構成に特徴を有するものであるが、まず、既設の蛍光灯ランプの欄干照明器具について、図１〜図３を用いて説明する。
【００１４】
図１〜図３において、１は踏み段、２は透明欄干パネル、３は移動手すり、４は欄干照明、５は乗客コンベア、６はフレーム、７は蛍光灯ランプソケット、８は蛍光灯ランプホルダー、９は蛍光灯ランプ、１０は蛍光灯ランプホルダー用固定ボルト、１１は蛍光灯ランプカバー、２０は蛍光灯ランプソケット用固定ボルト、をそれぞれ表す。
【００１５】
図１に示すように、既設の乗客コンベア５は、無端状に連結されて移動する複数個の踏み段１と、踏み段１の左右両側に立設された透明欄干パネル２と、透明欄干パネル２の上端全域に沿って設けられた移動手すり３と、移動手すり３の下方全域に沿って設けられた欄干照明４と、を備えている。
【００１６】
図２は図１の欄干照明４のａ−ａ線断面を示す図である。また、図３は図２のｂ−ｂ線断面図である。図２と図３において、透明欄干パネル２の上端に取付けられたフレーム６内に、蛍光灯ランプソケット７と、蛍光灯ランプホルダー８と、蛍光灯ランプ９と、が設置されており、これらの照明器具は蛍光灯ランプカバー１１により覆われている。
【００１７】
次に、図４は蛍光灯ランプに代えてＬＥＤランプを取り替えるための従来のＬＥＤランプ改造構造（従来から採用されているＬＥＤランプ用の改造構造）を示す横断面図であり、図５は図４に示すｃ−ｃ線の断面を示す図であり、蛍光灯ランプに代えてＬＥＤランプを取り替えるための従来のＬＥＤランプ改造構造（従来から採用されているＬＥＤランプ用の改造構造）を示す縦断面図である。
【００１８】
従来、蛍光灯ランプ９からＬＥＤランプ１２（図４と図５を参照）へ更新、改造する場合は、蛍光灯関連器具とＬＥＤランプ関連器具との構造及び構成が相違していたため、透明欄干パネル２の上端外側に配置されたフレーム６から蛍光灯ランプカバー１１を取り外し、蛍光灯ランプ９を取り外した後に、ボルト２０（図３を参照）でフレーム６に固定されている蛍光灯ランプソケット７と、ボルト１０（図３を参照）でフレーム６に固定されている蛍光灯ランプホルダー８と、を現地にて取り外していた。
【００１９】
図４と図５には、蛍光灯ランプソケット７と蛍光灯ランプホルダー８とを取外した部位に新たにＬＥＤランプ１２用に設計されたＬＥＤランプホルダー１３ａ，１３ｂとＬＥＤランプ１２とを配置した従来の構造を示す。ここで、ＬＥＤランプホルダー１３ａはＬＥＤランプ１２の長さ方向の略中央部を保持するものであり、ＬＥＤランプホルダー１３ｂはＬＥＤランプ１２の長さ方向の両端部を保持するものであり、隣り合うＬＥＤランプ１２の左・右端部を保持するためにホルダー１３ａよりも略２倍の長さを有している。ＬＥＤランプホルダー１３ａ，１３ｂはともに固定ボルト１０でフレーム６に固定されている。
【００２０】
従来、作業員は、図５に示すように現地にてＬＥＤランプホルダー１３を適宜な間隔ＬｌとＬ２のような寸法になるように、取付け位置を調整しながらフレーム６内に蛍光灯ランプ部品を取外した際の手順と逆の手順にしたがって、ＬＥＤランプホルダー１３ａ，１３ｂにＬＥＤランプ１２を取り付け、隣り合うＬＥＤランプ１２，１２…のリード線の配線を行うとともに、多数連結されたＬＥＤランプの両端側のＬＥＤランプのリード線を外部の電源線と結線を行なった後に、蛍光灯ランプカバー１１を取付けて覆う作業を行なっていた。このため、ＬＥＤランプ各種部品を取付けるためには、現地にて寸法間隔の調整作業を伴うことから、熟練した専門の作業者が必要となり、誰でも簡単にＬＥＤランプの取り付けを行なうことが難しいという事情があった。
【００２１】
次に、本発明の実施形態に係る乗客コンベアの欄干照明器具について、図６と図７を参照しながら以下説明する。図６は本発明の実施形態に関するＬＥＤランプを有する欄干照明器具を示す横断面図であり、図７は図６に示すｄ−ｄ線の断面を示す図であり、本発明の実施形態に関するＬＥＤランプを有する欄干照明器具を示す縦断面図である。
【００２２】
ここで、図４と図５に示す従来の改造構造においては、蛍光灯ランプカバー１１は、単に蛍光灯ランプ９の外側を覆う保護と光源の拡散機能を目的としたものであったが、本発明の実施形態においては、保護機能と光源拡散機能に加えて、ＬＥＤランプ１２の簡易な取付・支持機能をも兼用させるようにしたものである。すなわち、本実施形態においては、蛍光灯ランプカバー１１の内側に、ＬＥＤランプ１２からの光の拡散に影響しない材質と形状、例えば透明な樹脂または光沢若しくは半光沢の金属板若しくは針金、等で構成したＬＥＤランプ支持部１４を、図７に示すような適宜な寸法Ｌ３とＬ４で配置して蛍光灯ランプカバー１１の内側に接着固定し、各ＬＥＤランプ支持部１４の上辺部に設けられたＬＥＤ載置溝１５にＬＥＤランプ１２を設置又は挟み込むように載置する構成としている。ここにおいて、既設の蛍光灯ランプと蛍光灯ランプホルダーと蛍光灯ランプソケットと蛍光灯ランプカバーとは取り外すこととなる。
【００２３】
このような構成を採用することによって、フレーム６内にＬＥＤランプホルダー１３（図４と図５を参照）を設けることなくＬＥＤランプ１２を蛍光灯ランプカバーに設置可能とすることができる。ここで、ＬＥＤランプ１２は、金属又は樹脂の図示しないホルダーにより、両端を支持した状態で中央部がたわまない程度の剛性を持っている部品を使用することを可能とする。
【００２４】
以上説明したように、本実施形態におけるＬＥＤランプによる欄干照明器具は、蛍光灯ランプカバー１１の単位でのユニット化が実現でき、ユニット化したことにより、狭い限られた設置スペースでも蛍光灯ランプカバー１１を交換する作業のみで簡単に脱着できる。
【００２５】
また、現地の蛍光灯ランプカバー１１に対して各ＬＥＤランプ支持部１４を配置する代りに、新規の蛍光灯ランプカバー１１を使用して、予め環境の整った工場又は広い場所での外段取りによる各ＬＥＤランプ支持部１４の配置作業とＬＥＤランプ１２の載置作業を実施できるため、ＬＥＤランプ支持部１４とＬＥＤランプ１２を精度良く配置すること可能となる。
【００２６】
さらに、図４と図５に示す従来の構造において面倒であった複数個のＬＥＤホルダー１３ａ，１３ｂとＬＥＤランプ１２のフレーム６への現地取り付け作業が一切省ける。さらに、従来構造の場合、現地にて取付け調整作業を行うため熟練者を必要としていたが、誰でも簡単に素早く作業ができ作業のバラツキも排除できる。
【００２７】
次に、本発明の他の実施形態に係る乗客コンベアの欄干照明器具について、図８を参照しながら以下説明する。図８に示す他の実施形態においては、蛍光灯ランプカバー１１に設けた各ＬＥＤランプ支持部１４の間隔とＬＥＤランプ１２の寸法上の形状を特定するものである。この特定によって、既設の蛍光灯ランプソケット７と既設の蛍光灯ランプホルダー８とを取り外すことなく、ＬＥＤランプに取り替えることができる。
【００２８】
すなわち、図８に示すように、蛍光灯ランプカバー１１に設けたＬＥＤランプ支持部１４の間隔Ｌ６とＬＥＤランプ１２の長さＬ５を蛍光灯ランプソケットの間隔Ｌ７よりも短くしている。さらに、ＬＥＤランプ１２の直径は蛍光灯ランプ９の直径と同一又は蛍光灯ランプ９の直径より小さくしている。このような寸法と配置とすることにより、図８に示すように、蛍光灯ランプカバー１１内に配置された各ＬＥＤランプ支持部１４の間隔とＬＥＤランプ１２は、既設の蛍光灯ランプソケット７の間に設置することが可能となり、また、ＬＥＤランプ１２は既設の蛍光灯ランプホルダー８で保持した状態で設置することが可能となる。
【００２９】
上述した寸法と配置を採用することにより、現地で蛍光灯ランプカバー１１を取り外して蛍光灯ランプ９を取り外し、予め蛍光灯ランプ９があった位置に対して、各ＬＥＤランプ支持部１４とＬＥＤランプ１２とを設置済の蛍光灯ランプカバー１１を取り付けて、その後ＬＥＤランプ１２同士の配線と外部電源との結線を行なうことにより、蛍光灯ランプソケット７と蛍光灯ランプホルダー８とをまったく取り外すことなく、乗客コンベアの欄干照明をＬＥＤランプへリニューアルする作業を行なうことが可能となり、図６と図７に示す本実施形態の構造よりもさらに短時間でリニューアル作業を完了することが可能となる。
【００３０】
以上説明したように、本発明の特徴を取り纏めると、蛍光灯による欄干照明を供えた乗客コンベアの欄干照明をＬＥＤ照明に更新するための乗客コンベアの欄干照明器具であって、既設蛍光灯カバーの内部に支持部を少なくとも２つ設け、支持部の上辺凹部にＬＥＤランプを載置したことを特徴とする。この特徴により、ＬＥＤランプを位置調整しながら適宜の間隔でフレーム内に設置する作業が不要となる。また、蛍光灯による欄干照明の既設蛍光灯カバーを取り外し、乗客コンベア以外の予め環境の整った工場や広い場所での外段取りによって既設蛍光灯カバーにＬＥＤ照明を設置する作業を行なうことが可能となる。
【００３１】
また、本発明の特徴として、ＬＥＤランプの支持部同士の間隔とＬＥＤランプの長さは、既設蛍光灯ランプの長さよりも短いことを特徴とする。さらに、ＬＥＤランプの直径寸法は、既設蛍光灯ランプの直径寸法と同じ又は蛍光灯ランプの直径寸法より小さいことを特徴とする。これらの特徴により、ＬＥＤランプ支持部とＬＥＤランプとを設置する際には、蛍光灯を取り外し、その蛍光灯が設置してあった蛍光灯ランプソケットの間にＬＥＤランプ支持部とＬＥＤランプとが配置されるようにでき、また、ＬＥＤランプを既設の蛍光灯ホルダーで保持できるため、既存の蛍光灯ランプソケットと蛍光灯ランプホルダーの撤去を行なうことなく、ＬＥＤランプを設置することが可能となる。
【符号の説明】
【００３２】
１  踏み段
２  透明欄干パネル
３  移動手すり
４  欄干照明
５  乗客コンベア
６  フレーム
７  蛍光灯ランプソケット
８  蛍光灯ランプホルダー
９  蛍光灯ランプ
１０  蛍光灯ランプホルダー用固定ボルト
１１  蛍光灯ランプカバー
１２  ＬＥＤランプ
１３ａ，１３ｂ  ＬＥＤランプホルダー
１４  ＬＥＤランプ支持部
１５  ＬＥＤ載置溝
２０  蛍光灯ランプソケット用固定ボルト
Ｔ  建屋壁
Ｌｌ，Ｌ２  ＬＥＤランプホルダー間隔
Ｌ３，Ｌ４  ＬＥＤランプ支持部間隔
Ｌ５  ＬＥＤランプ長さ
Ｌ６  ＬＥＤランプ支持部間隔
Ｌ７  蛍光灯ランプソケット間隔
【図１】
2015059024.tif 000003
【図２】
2015059024.tif 000004
【図３】
2015059024.tif 000005
【図４】
2015059024.tif 000006
【図５】
2015059024.tif 000007
【図６】
2015059024.tif 000008
【図７】
2015059024.tif 000009
【図８】
2015059024.tif 000010